(57)【要約】【課題】簡単に、安価に補極を形成できるアウターロータ型補極付き磁石回転機を得る。【解決手段】カップ状のロータヨーク２の筒部２ａの内周に周方向に間欠的に永久磁石２を固定する。隣接する永久磁石２の間に補極４をそれぞれ設ける。各補極４は、隣接する永久磁石２の間にロータヨーク２の筒部２ａから内側に切り起こしてそれぞれ形成されている。【選択図】　図１
2004080910.tif 000002
【特許請求の範囲】
【請求項１】
カップ状のロータヨークの筒部内周に周方向に間欠的に永久磁石が固定され、隣接する永久磁石の間に補極がそれぞれ設けられているアウターロータ型補極付き磁石回転機において、
前記各補極は隣接する前記永久磁石の間に前記ロータヨークの前記筒部から内側に切り起こしてそれぞれ形成されていることを特徴とするアウターロータ型補極付き磁石回転機。
【請求項２】
前記各補極は、隣接する前記永久磁石の間の位置で前記ロータヨークの前記筒部にコ字状の切り目がその開口側が円周方向を向くように形成され、前記コ字状の切り目の間の片が隣接する前記永久磁石の間に切り起こされてそれぞれ形成されていることを特徴とする請求項１に記載のアウターロータ型補極付き磁石回転機。
【発明の詳細な説明】
【０００１】
【発明の属する技術分野】
本発明は、カップ状のロータヨークの筒部内周に周方向に間欠的に永久磁石が固定され、隣接する永久磁石の間に補極がそれぞれ設けられているアウターロータ型補極付き磁石回転機に関するものである。
【０００２】
【従来の技術】
従来のこの種のアウターロータ型補極付き磁石回転機では、特開２００１−２１１５８３にあるように、リング状の積層鉄板をカップ状のロータヨークの筒部内周に圧入し、この積層鉄板の周方向に間欠的に設けた開口部に永久磁石をそれぞれ嵌め込み、隣接する永久磁石の間の積層鉄板の部分を補極としたものであった。
【０００３】
【発明が解決しようとする課題】
しかしながら、このようなアウターロータ型補極付き磁石回転機では、隣接する補極の保持のため、永久磁石側と補極側とが通路でつながっているので、永久磁石からの磁束がこの通路を通り、補極側に漏れ、ステータ側の磁束が減少してしまい、永久磁石のもつエネルギーを有効に利用できない問題点があった。また、従来のこのような構造では、リング状の積層鉄板をカップ状のロータヨークの筒部内周にしっかりと圧入するために、積層の倒れ管理等、作りずらさが問題となっていた。
【０００４】
本発明の目的は、簡単に、安価に補極を形成できるアウターロータ型補極付き磁石回転機を提供することにある。
【０００５】
【課題を解決するための手段】
本発明は、カップ状のロータヨークの筒部内周に周方向に間欠的に永久磁石が固定され、隣接する永久磁石の間に補極がそれぞれ設けられているアウターロータ型補極付き磁石回転機を対象とする。
【０００６】
本発明に係るアウターロータ型補極付き磁石回転機では、各補極は隣接する永久磁石の間にロータヨークの筒部から内側に切り起こしてそれぞれ形成されていることを特徴とする。
【０００７】
この場合、各補極は、隣接する永久磁石の間の位置でロータヨークの筒部にコ字状の切り目がその開口側が円周方向を向くように形成され、コ字状の切り目の間の片が隣接する永久磁石の間に切り起こされてそれぞれ形成されていることが好ましい。
【０００８】
このようにロータヨークの筒部から隣接する永久磁石の間に補極を内側に切り起こしてそれぞれ形成すると、簡単に、安価に補極を形成することができる。また、このような構造では、永久磁石と補極間に透磁率の高い鉄等が介在しないため、永久磁石から補極への磁束の漏れがほとんどなく、従来よりも磁石の量が減り、軽量化、小型化、低コスト化が可能になる。
【０００９】
【発明の実施の形態】
図１（Ａ）〜（Ｃ）は本発明に係るアウターロータ型補極付き磁石回転機の実施の形態の１例を示したもので、図１（Ａ）は本例のアウターロータ型補極付き磁石回転機の正面図、図１（Ｂ）は図１（Ａ）の側面図、図１（Ｃ）は図１（Ａ）の縦断面図である。
【００１０】
本例のアウターロータ型補極付き磁石回転機１は、カップ状のロータヨーク２の筒部２ａの内周に周方向に間欠的に永久磁石３が接着等で固定されている。カップ状のロータヨーク２は、その筒部２ａが一端が開口され、他端は底部２ｂで閉塞され、該底部２ｂの中央には筒状のボス２ｃが一体に設けられて、筒部２ａ内に突出されている。隣接する永久磁石３の間に、ロータヨーク２の筒部２ａから内側に切り起こして補極４がそれぞれ形成されている。これら補極４は、隣接する永久磁石３の間の位置でロータヨーク２の筒部２ａにコ字状の切り目５がその開口側が円周方向を向くように形成され、これらコ字状の切り目５の間の片が隣接する永久磁石３の間に切り起こされてそれぞれ形成されている。
【００１１】
このようなアウターロータ型補極付き磁石回転機１の内側には、同心状にステータ６が配置されている。ステータ６は、積層鉄心よりなるステータ鉄心７の外周の放射状の各凸極７ａにコイル８がそれぞれ巻装された構造になっている。各凸極７ａと永久磁石３との間には、ギャップが設けられている。
【００１２】
このようにロータヨーク２の筒部２ａから隣接する永久磁石３の間に補極４を内側に切り起こしてそれぞれ形成すると、カップ状のロータヨークの筒部内周に圧入し、この積層鉄板の周方向に間欠的に設けた開口部に永久磁石をそれぞれ嵌め込み、隣接する永久磁石の間の積層鉄板の部分を補極とする作業がなくなり、簡単に、安価に補極を形成することができる。また、このような構造では、永久磁石と補極間に透磁率の高い鉄等が介在しないため、永久磁石３から補極４への磁束の漏れがほとんどなく、従来よりも磁石の量が減り、軽量化、小型化、低コスト化が可能になる。
【００１３】
次に、本発明と似たような形状のもので、冷却用のファンをロータからの切り起こしによりロータに形成したものが図２（Ａ）〜（Ｃ）に示すように存在する。このアウターロータ型磁石回転機１は、カップ状のロータヨーク２の筒部２ａの内周で底部２ｂ寄りの位置にファン９を設けているが、ファン９はステータ鉄心７の外周の各凸極７ａに対向せず、補極としての作用はない。即ち、ファン９は永久磁石３とロータヨーク２の筒部２ａとの間で、ロータヨーク２の筒部２ａの周方向の適宜な位置に、周方向に所定間隔で内向きに突設されている。
【００１４】
補極というものは、モータや発電機の出力制御の制御性向上のために設けるが、本発明でも特開２０００−２０９８９１のような電圧位相制御や電流位相制御と組み合わせて使用することが望ましい。ただ、無制御で用いてもよい。
【００１５】
また、補極によるインダクタンスが発電機が発電機やモータの特性に大きく影響を与えるが、このインダクタンスの調整は本発明では、図１（Ｃ）に示す補極４のステータ鉄心７の積層方向に測った寸法Ａまたは筒部２ａから内部への突出寸法Ｂの長さを変更することにより調整する。
【００１６】
【発明の効果】
本発明に係るアウターロータ型補極付き磁石回転機では、各補極は隣接する永久磁石の間にロータヨークの筒部から内側に切り起こしてそれぞれ形成されているので、簡単に、安価に補極を形成することができる。また、このような構造では、永久磁石と補極間に透磁率の高い鉄等が介在しないため、永久磁石から補極への磁束の漏れがほとんどなく、従来よりも磁石の量が減り、軽量化、小型化、低コスト化が可能になる。
【図面の簡単な説明】
【図１】（Ａ）は本発明に係るアウターロータ型補極付き磁石回転機の実施の形態の１例の正面図、（Ｂ）は（Ａ）の側面図、（Ｃ）は（Ａ）の縦断面図である。
【図２】（Ａ）は従来のアウターロータ型磁石回転機の正面図、（Ｂ）は（Ａ）の側面図、（Ｃ）は（Ａ）の縦断面図である。
【符号の説明】
１　アウターロータ型補極付き磁石回転機
２　ロータヨーク
２ａ　筒部
２ｂ　底部
２ｃ　ボス
３　永久磁石
４　補極
５　切り目
６　ステータ
７　ステータ鉄心
７ａ　凸極
８　コイル
９　ファン
【図１】
2004080910.tif 000003
【図２】
2004080910.tif 000004